(57)【要約】  この発明は、オートインジェクタの操作において使用者を訓練するための手持ち装置を提供する。この装置はスクリーンと、装置の物理的行動を定量化できるセンサとを有する。オートインジェクタの可視的な表示とオートインジェクタの望ましい使用法に対する可視的な指令が、スクリーン上に与えられ、使用者はそれがあたかもオートインジェクタであるかのように手持ち装置を操作するように要求される。センサのデータを使用することによって、装置は使用者の行動を評価し、指令に従うレベルを決定する。従って、この発明は、例えばエピネフリン（アドレナリン）用のオートインジェクタの使用法において、高い安全性を提供する。【選択図】図１
2014521113.tif 000002
【特許請求の範囲】
【請求項１】
エピネフリンのオートインジェクタの使用法を訓練する方法であって、スクリーンと、運動センサデータを提供するように構成された運動センサと、運動センサのデータに基づくジェスチャーを認識するように構成された電子回路とを有する手持ちコンピュータ装置を設け、オートインジェクタの適切な使用のための指令をスクリーン上に提供し、スクリーン上にオートインジェクタを可視的に表示し、それがあたかもオートインジェクタであるかのように手持ち装置を使用者に操作させる要求を手持ち装置を介して提供する工程を備え、使用者はセンサが運動センサのデータを提供する間に手持ち装置を操作し、その操作は大腿部にその装置を押し付ける工程を含み、電子回路は指令に従うレベルを決定するジェスチャーを認識するために用いられる方法。
【請求項２】
使用者は指令に従うレベルについて知らされる請求項１記載の方法。
【請求項３】
大腿部にその装置を押し付けるジェスチャーが電子回路により認識される請求項１又は２記載の方法。
【請求項４】
大腿部にその装置を押し付けるジェスチャーは、運動センサデータからその装置の特定方向の動きが停止したかどうかを評価することにより決定される請求項３記載の方法。
【請求項５】
手持ち装置は、手持ち装置が大腿部に押し付けられたことを示すジェスチャーを認識したときに起動するタイマーを備える請求項１〜４のいずれか１つに記載の方法。
【請求項６】
大腿部にその装置を押し付ける工程は、タイマーによって計時される期間において保持される請求項５記載の方法。
【請求項７】
使用者はその装置を所定の方位に保持する請求項１〜６のいずれか１つに記載の方法。
【請求項８】
その装置を所定の方位に保持するジェスチャーは電子回路によって認識される請求項７記載の方法。
【請求項９】
電子回路は、その装置が大腿部に押し付けられる前に、手持ち装置を所定方向に向けるジェスチャーの認識を確立するように始動する請求項８記載の方法。
【請求項１０】
電子回路は、手持ち装置が大腿部に押し付けられたことを示すジェスチャーの認識後に、手持ち装置を所定方向に向けるジェスチャーの認識を確立するように作動する請求項８又は９記載の方法。
【請求項１１】
電子回路は、タイマーの始動前に手持ち装置を所定方向に向けるジェスチャーの認識を確立するように作動する請求項５−６、８−１０のいずれか１つに記載の方法。
【請求項１２】
その装置を所定の方位に保持するジェスチャーの認識は、タイマーが作動している間、続けられる請求項５−６、８−１１のいずれか１つに記載の方法。
【請求項１３】
指令に従うレベルを決定する工程が、その装置の所望の操作を表し、かつ、その装置に予め取り込まれている目標基準データと、運動センサのデータとを比較することにより、実行される請求項１〜１２のいずれか１つに記載の方法。
【請求項１４】
指令に従うレベルを決定する工程が、運動センサデータが目標基準データによるか否かを使用者に知らせる工程をさらに含む請求項１３記載の方法。
【請求項１５】
手持ち装置は、２つの実質的に平行な主要面と、２つの実質的に平行な側面と、実質的に平行な下端部および上端部とを有する細長い平坦な箱状の形を実質的に有し、使用者は少なくともその側面部分に手を押し付けることによってその装置をつかみ、下端部が大腿部に押し付けられるまでその装置を実質的に動かす請求項１〜１４のいずれか１つに記載の方法。
【請求項１６】
エピネフリンのオートインジェクタの操作において使用者を訓練するための手持ちコンピュータ装置（１）であって、スクリーン（２）と、運動センサのデータを提供するように構成された運動センサと、運動センサのデータに基づくジェスチャーを認識するように構成された電子回路とを備え、オートインジェクタの望ましい使用法のためにスクリーン上に指令を提供するように構成され、その指令はあたかもその装置がその装置を大腿部に押し付ける要求を含むオートインジェクタであるかのように、その装置それ自体を使用者に操作させる要求を含み、電子回路は指令に従うレベルを決定するためにジェスチャーを認識するように構成される装置。
【請求項１７】
指令に対応する少なくとも１つの所定の望ましいジェスチャーを表す予め格納されたデータを有するメモリー手段を備え、その装置は使用者が装置を動かす間に、得られた装置の動きを表すデータを運動センサによってサンプリングするように構成され、前記サンプリングされたデータは装置の少なくとも角度を含み、その装置がサンプリングされたデータと予め格納されたデータとの差を決定し、使用者にその差を表す出力を提供するように構成された請求項１６に記載の装置。
【請求項１８】
運動センサが、３つの異なる方向に加速度を提供するように構成された３軸加速度センサを備える請求項１６又は１７に記載の装置。
【請求項１９】
使用者が大腿部に装置を押し付けたことを示すジェスチャーを認識した時に始動するように構成されたタイマーを備える請求項１６−１８のいずれか１つに記載の装置。
【請求項２０】
装置を所定の方位に保持するジェスチャーを認識するように構成された請求項１９記載の装置。
【請求項２１】
所定の指令のライブラリを備え、指令の順番によって所定の指令を選択するように構成された請求項１６−２０のいずれか１つに記載の装置。
【請求項２２】
指令を可聴的に表すように構成された請求項２１記載の装置。
【請求項２３】
指令が、認識されたジェスチャーによってライブラリから選択される請求項２１又は２２に記載の装置。
【請求項２４】
指令が、エピネフリンのオートインジェクタの望ましい使用法に対するものである請求項１６−２３のいずれか１つに記載の装置。
【請求項２５】
実際のオートインジェクタ上で得られる識別のしるしを読み取って、しるしによって識別されるオートインジェクタの指令と可視的な表示を提供するようにさらに構成された請求項１６−２４のいずれか１つに記載の装置。
【請求項２６】
識別のしるしが実際のオートインジェクタの寿命に関する情報を備え、実際のオートインジェクタを新品と交換すべき時を使用者に警告するように構成された請求項２５記載の装置。
【請求項２７】
スクリーンと、運動センサのデータを提供するように構成された運動センサと、電子回路とを備えた手持ちコンピュータ装置によって読み取り可能なコンピュータプログラムであって、手持ちコンピュータ装置に対する一組の指令を備え、その指令は手持ちコンピュータ装置に、スクリーン上にオートインジェクタを可視的に表示し、オートインジェクタの望ましい使用法に対してスクリーン上に指令を提供することを可能にし、その指令はその装置があたかもオートインジェクタであるかのようにその装置自体を使用者に操作させる要求を備え、その指令が手持ちコンピュータ装置に、指令に従うレベルを決定するために運動センサのデータを評価してジェスチャーを認識させる、コンピュータプログラム。
【請求項２８】
請求項２７に記載のコンピュータプログラムを備え、手持ちコンピュータ装置によって読み取り可能なコンピュータ読み取り可能媒体。
【発明の詳細な説明】
【技術分野】
【０００１】
この発明は、オートインジェクタ（auto-injector）、例えばエピネフリン（epinephrine）のオートインジェクタの操作において使用者を訓練するための方法と装置に関する。さらに、この発明は、特に移動電話用や類似の手持ち装置用のコンピュータプログラムおよびそのコンピュータプログラムを記録した媒体に関する。
【背景技術】
【０００２】
オートインジェクタは、測定された量の薬剤、例えばアドレナリンとしても知られているエピネフリンを注射するために用いられる医療装置である。エピネフリンは、アナフィラキシーショック（anaphylactic shock）の発症を回避するか治療するため、激しいアレルギー反応の処置に非常に頻繁に用いられる。
【０００３】
一般的に、オートインジェクタは、装置の先端に存在し、受容者の体の中に入り込んで薬物を注入する、ばねで固定された針を備える。その装置は所定量の当該の薬剤を有する。
【０００４】
一般的に、その装置は脚にその先端でしっかりと保持され、その装置は脚に対する押し付けにより始動するか、又はボールペンの様式で始動する。始動後には、使用者はそのエピネフリンが注射される例えば１０秒間、その装置を適所に保持する。これによって、人体の筋肉によって吸収され、血流中に分散されるために十分な時間が薬剤に与えられる。多くの国では、エピネフリンは処方薬であるので、その薬剤を入手するには、医師の処方箋が必要となる。その結果、その装置の正しい使用法における訓練が重要となる。
【０００５】
エピネフリンのオートインジェクタは、非常にまれな出来事に対する予防装置として見ることができるが、患者はそのオートインジェクタを全く使用する必要がないことが望ましい。そのオートインジェクタは、アナフィラキシーショックの処置が必要な非常にまれな場合のためにのみ用意されるであろう。従って、使用者は、エピネフリンのオートインジェクタの経験豊かな使用者になることはあり得ない。
【０００６】
通常、エピネフリンのオートインジェクタの製造業者は、実際のオートインジェクタとして正しく機能するがエピネフリンを備えず、くり返し使用するためのリセット可能な針を備えたシミュレーション（simulation）・オートインジェクタを提供する。これによってシミュレーション・オートインジェクタの頻繁な使用が可能になり、使用者は、実際のオートインジェクタを全く又はまれにしか使用しないとしても、経験を積むことになる。
【０００７】
正しい使用法は、例えばオートインジェクタの正しい方位や正しいタイミングを評価するには難しいパラメータを含むので、使用者が安全に使用するための十分な技術を修得した時を判断することが難しいことが多く、シミュレーション・オートインジェクタは書面による使用法の指示で与えられるもの以上のガイダンスを与えるものではない。
【０００８】
既成のシミュレーション・オートインジェクタは場所をとるし、持ち運びが不便である。従って、それは通常、シミュレーション装置で訓練する患者のみであり、患者が家に居る時のみである。これは、突然の予期しない発病を経験し、オートインジェクタの使用法に関して他人からの支援に頼る患者が存在するので、必ずしも望ましくはない。
【０００９】
発明の詳細な説明
オートインジェクタの正しい使用法のために改良された訓練を提供することが、この発明の実施形態の目的である。
【００１０】
搬送可能で、多くの人々、例えば患者の知人に容易に無償で配ることができる訓練装置を提供することが、この発明の実施形態の他の目的である。
【００１１】
患者は他人からの支援に頼って注射を行うので、患者のみならず公衆の教育レベルを向上させること、そして、オートインジェクタとその正しい使用法に関する、とくにエピネフリンのオートインジェクタおよび類似のオートインジェクタに関する知識を向上させることが、この発明の実施形態の他の目的である。
【００１２】
従って、この発明は、第１の観点において、エピネフリンのオートインジェクタの使用法を訓練する方法であって、スクリーンと、運動センサデータを提供するように構成された運動センサと、運動センサのデータに基づくジェスチャーを認識するように構成された電子回路とを有する手持ちコンピュータ装置を設け、オートインジェクタの適切な使用のための指令をスクリーン上に提供し、スクリーン上にオートインジェクタを可視的に表示し、それがあたかもオートインジェクタであるかのように手持ち装置を使用者に操作させる要求を手持ち装置を介して提供する工程を備え、使用者はセンサが運動センサのデータを提供する間に手持ち装置を操作し、その操作は大腿部にその装置を押し付ける工程を含み、電子回路は指令に従うレベルを決定するジェスチャーを認識するために用いられる方法を提供するものである。
【００１３】
第２の観点において、この発明は、エピネフリンのオートインジェクタの操作において使用者を訓練するための手持ちコンピュータ装置であって、スクリーンと、運動センサのデータを提供するように構成された運動センサと、運動センサのデータに基づくジェスチャーを認識するように構成された電子回路とを備え、オートインジェクタの望ましい使用法のためにスクリーン上に指令を提供するように構成され、その指令はあたかもその装置がその装置を大腿部に押し付ける要求を含むオートインジェクタであるかのように、その装置それ自体を使用者に操作させる要求を含み、電子回路は指令に従うレベルを決定するためにジェスチャーを認識するように構成される装置を提供するものである。
【００１４】
第３の観点において、この発明は、スクリーンと、運動センサのデータを提供するように構成された運動センサと、電子回路とを備えた手持ちコンピュータ装置によって読み取り可能なコンピュータプログラムであって、手持ちコンピュータ装置に対する一組の指令を備え、その指令は手持ちコンピュータ装置に、スクリーン上にオートインジェクタを可視的に表示し、オートインジェクタの望ましい使用法に対してスクリーン上に指令を提供することを可能にし、その指令はその装置があたかもオートインジェクタであるかのようにその装置自体を使用者に操作させる要求を備え、その指令が手持ちコンピュータ装置に、指令に従うレベルを決定するために運動センサのデータを評価してジェスチャーを認識させる、コンピュータプログラムを提供するものである。
【００１５】
そのコンピュータプログラムは、例えば、指令に従うレベルを決定するために、装置のメモリに格納された所定のジェスチャーに、手持ちの装置の操作が対応するか否かを認識することができる。コンピュータプログラムは、この発明の第１および第２の観点に関して述べた特徴のいずれかをさらに含むことができる。特に、コンピュータプログラムによって、装置はタイマー機能を備えて使用者が大腿部に対して装置を押し付けたことを認識してからの期間を計時することができ、タイマーの計時中に装置の方位を確認することができる。コンピュータプログラムによってさらに、その装置は訓練の授業を構成する全行動経路（path）を認識し、その経路と、その装置に例えばコンピュータプログラムとして格納されている所望の基準経路とを比較することができる。
【００１６】
第４の観点において、この発明は、この発明の第３の観点によるコンピュータプログラムを格納したコンピュータ読み取り可能媒体を提供する。これによって、例えば、移動電話やゲームコントローラのような手持ちコンピュータ装置用のアプリケーションの既知のプロバイダーからのアップロードを介して広いグループの人々にそのプログラムを容易に分配できる。コンピュータ読み取り可能媒体は、この発明がドングル（dongle）のような読み取り可能などんな電子機器にも適用可能なように、ソフトウェアを格納したEPROMチップを有するUSBドングルを備えることができる。
【００１７】
その装置は、運動センサのデータを評価し、それによって使用者の行動（activity）を認識し、指令に従うレベルを決定できるので、その装置はオートインジェクタの使用法を訓練するために効果的に用いることができる。
【００１８】
その訓練装置は、スクリーンと運動センサとを有する手持ちコンピュータ装置として提供されるので、その訓練装置は、例えば移動電話、電子ゲームコントローラ、パスファインダ又はGPS追跡装置等を含む、色々な人々にすでに使用されているきわめて多くの現在の電子装置に提供されることが可能である。従って、この発明は、患者であろうとなかろうと、その個々の背景にかかわらず、異なる情況にある人々の訓練を可能にする。
【００１９】
特に、上述の手持ちコンピュータ装置は持ち歩くのに容易であり、オートインジェクタの行動をシミュレートするのに適した大きさを有することが多い。特に、移動電話は、常に手近かに用意されているが、それは１つの利点である。この発明によるコンピュータプログラムを有する移動電話を用いることによって、訓練の授業が支援されることが多い。さらに、移動電話の通信能力によって、訓練の授業や人々のグループ間の達成結果を伝えることができる。それはグループで座っているときにはいつでも社交的な催し物として用いることができる。一人の人がオートインジェクタの正しい使用法において移動電話を用いて他人に教えることができ、すべての人々が例えばアナフィラキシーショックの危険とその対症療法を容易に楽しく教わることができる。
【００２０】
「手持ち」によって、ここでは装置が、自己動力、つまりバッテリ又は太陽電池によって給電されるか、又は装置が同様に固定送電系統からの電力に依存しないことが定義される。また、装置が実際のオートインジェクタの代用品として、手で操作可能な大きさ、重さ、形状を有するものであることが定義される。
【００２１】
通常、オートインジェクタは20グラムと200グラムとの間の重量を有するので、その装置は類似の範囲内の重量、又は150-300グラムのような、180-250グラムのような、200-220グラムのような100-400グラムの範囲内の重量を有することが望ましく、それは実際のオートインジェクタを操作する感覚を与えるために受け入れられるものである。
【００２２】
その装置は、２つの実質的に平行な主要面と２つの実質的に平行な側面と、実質的に平行な下端部および上端部とを有する細長い平坦な箱の形状を有することができる。使用時には、使用者は少なくとも側面部分を手で押し付けることによりその装置をつかむことができる。使用者は、このように装置を保持し、下端部が大腿部に押し付けられるまで装置を動かすことができる。使用者の親指は、例えば上端部分に係合するか又は使用者は親指を側面部分の一方に、残りの４本の指の少なくとも１本を側面部分のもう一方に置いて親指と残りの４本の指の間に手持ち装置をしっかりと保持することができる。
【００２３】
ここで、「手持ちコンピュータ装置」、「コンピュータ装置」又は単に「装置」という用語は、スクリーンと、プログラミングによって、主張されるジェスチャー認識と指令に従うレベルの決定とを可能にする電子回路とを有する手持ちコンピュータのすべてを網羅する。それは、訓練の目的のために特別に作られた装置によって構成されるか、又は一般のコンピュータの目的のために本来作られた標準の装置の一部を形成するか、移動電話、ゲーム・コントローラ又は例えば飛行、自転車走行又はランニングのためのスポーツコンピュータによって構成されるか又はその一部を形成することができる。
【００２４】
特に、標準の電子装置は、運動を測定することができるセンサを備えることができる。ここで「運動センサ」とは、例えば適当なデータ処理との組合せにおいて装置の運動を検出できる、あらゆる種類のセンサを一般的に意味する。そのようなセンサの例は、加速度計、方位を決定するジャイロコンパス、又はこの発明による運動センサを都合よく構成できる他のセンサを含む。そのセンサは、加速度センサ、例えば３つの異なる方向、例えば各方向間が90度であるx-y-z方向における加速度を決定できる３軸加速度センサを備えることができる。
【００２５】
さらに、その装置は、スクリーン、通常はタッチスクリーンと、タッチスクリーンセンサからのデータを処理可能な電子回路を備える。さらに、その装置はタイマーを備えることができる。
【００２６】
その装置は、装置上で実行される特定の物理的な活動を確認して、例えば、装置の特定方向の運動が停止したときの信号を提供する、つまりジェスチャー認識を与える。
【００２７】
この発明に関連して、「ジェスチャー認識」とは、運動センサのデータを解析して特定のジェスチャーつまり、装置の特定の動きを認識するための手持ちコンピュータ装置の活動である。ジェスチャーが認識されると、電子回路は認識されたジェスチャーと望ましいジェスチャーとを比較することによって、指令に従うレベルを決定することができる。その電子回路は、指令に従うレベルを決定するために、例えば、手持ち装置の操作が装置のメモリに格納された所定のジェスチャーに対応するか否かを認識する。
【００２８】
ジェスチャー認識は、使用者がその装置を大腿部に押し付ける時を決定するために使用できるが、実際のオートインジェクタによるジェスチャーは、通常、針を開放し、エピネフリン又は類似の薬剤の注射をもたらす。さらに、ジェスチャー認識は、その装置が正しい角度で保持されているか否かを決定するために用いられる。
【００２９】
大腿部に対する装置の動きを含むジェスチャーの主張される認識を得るために、センサからのデータが電子回路によって評価される。電子回路は、この目的のためにとくに作られることが可能である。しかしながら、もし、その装置が移動電話のような標準の電子装置であれば、その電子回路はそのような装置のプロセッサとこの発明によるコンピュータプログラムとによって構成できる。
【００３０】
この発明に関連して、使用者が手持ちコンピュータ装置を「操作する」ということを詳述する。ここでは、これは、使用者が、スクリーン上の指令によって指令されるときに装置を移動させることを意味する。通常、その移動は、装置をある方位、例えば垂直に保持するジェスチャー、装置を大腿部へ移動させるジェスチャー、装置を大腿部に対して保持するジェスチャー、および装置をその方位に維持しながら装置を大腿部から除去するジェスチャーを含む、いくつかの適切に規定されたジェスチャーからなる。
【００３１】
ジェスチャーが認識され、その装置が指令に従うレベルを決定すると、使用者は指令に従うそのレベルについて、例えば「指令に従わないこと」を示す音声や絵および「指令に従うこと」を示す音声や絵のようなスクリーン上の目に見える表示や音声により、知らされる。
【００３２】
特に、大腿部に装置を押し付けるジェスチャーは、電子回路により認識できる。このジェスチャーは、例えば、装置の速度や加速度に基づいて認識される。装置が大腿部に到達し、その速度が零になり、急な負の加速度がジェスチャーの認識を形成することができる。電子回路は、従って、加速度プロファイル又は速度を、基準の加速度プロファイル又は速度と比較するように構成されている。
【００３３】
手持ち装置はタイマーを備え、そのタイマーは手持ち装置が大腿部に押し付けられたことを示すジェスチャーを認識したときに始動する。これは、注入される薬剤物質に必要な時間の識知力を訓練するために用いられる。装置が大腿部に押し付けられるとき、使用者は或る期間だけ圧力を維持するが、その期間がタイマーによって計時される。この期間において、使用者は装置を所定の方位に保持し、そのジェスチャーはまた、電子回路によって認識される。認識されたジェスチャーは望ましいジェスチャーと再び比較され、使用者は指令に従ったか否かについて知らされる。
【００３４】
電子回路は、その装置を大腿部に押し付ける前および／又は手持ち装置が大腿部に押し付けられたことを示すジェスチャーを認識した後に、手持ち装置を所定方向に向けるジェスチャーの認識を確定するために作動することができる。
【００３５】
電子回路はさらに、上述のタイマーの始動の前にその手持ち装置を所定方向に向けるジェスチャーの認識を確定するために作動することができる。そして、電子回路は、タイマーが作動している間に連続的にジェスチャーを認識するように構成されることが可能である。
【００３６】
特に、指令に従うレベルを決定するステップは、その装置の望ましい操作を表し、かつ、装置に予め格納されている目標基準データと、運動センサのデータとを比較することによって実行されることが可能である。そして、指令に従うレベルは、運動センサのデータが目標基準データに一致するか否かを使用者に知らせるステップを含むことができる。最初に、オートインジェクタにより経皮注入を行うためのオートインジェクタの所望の運動経路（path）は、例えばGPSに基づくトラッカー（tracker）の使用又は位置を記録する類似の記録手段の使用により、そのような運動を記録することによって、決定されることが可能である。望ましい運動経路は、使用者の大腿部に対して停止するまでのオートインジェクタの望ましい運動と、適当な期間における固定された方位の連続する維持とを含むことができる。
【００３７】
次に、望ましい運動経路を表すデータは、手持ち装置のメモリの中の予め格納されたデータであることが可能である。一例において、そのデータは標準電子装置用の上述のプログラムの一部を形成する。
【００３８】
最後に、その装置は、使用者が正しいと思われる運動経路に沿って手持ち装置を移動させる間に、センサからのデータをサンプリングしてデータを処理するように構成されることが可能である。
【００３９】
使用者の大腿部に押し付けられた装置の確認に加えて、装置は訓練の順番の他のジェスチャーを確認するためのジェスチャー認識を提供することができる。一例として、その装置は、
・その装置を大腿部へ移動させる前に使用者が最初に装置を保持する方位、
・使用者が大腿部の方へその装置を移動させる方位および／又は速度、
・その装置が大腿部に押し付けられる方位、および
・その装置が模擬の注入の終了後に大腿部から除去される装置の方位および／又は速度
を確認することができる。
【００４０】
上述のジェスチャーの各々は、それらが認識されたとき、望ましいジェスチャーと比較される。一例として、その装置は、装置が垂直の方位にあるときに信号を提供する。これによって、装置が大腿部にしっかりと押し付けられるように正しい方位で使用者が装置を保持する時が示されることが可能になる。
【００４１】
使用において、その装置は作動し、スクリーン上の指令は次の通りである。１つの例において、次の手順が提供される。
・オートインジェクタがスクリーン上に表示される。スクリーン上の文章又は可聴口頭指令によって、使用者はオートインジェクタの包装を解くように、又は類似の方法により、例えばシールドキャップや同様の保護部材を除去することによりオートインジェクタをいつでも使用できるようにするよう指令される、
・使用者は、例えばキャップが指で除去されるようにスクリーン上で指を動かすことによって、表示されたオートインジェクタを操作する、
・スクリーン上の文章又は可聴口頭指令によって、使用者は皮下注射に適した角度にその装置を立てるように指令される。使用者がほぼ正しい方位に装置を移動させる間に、センサからのデータは実際に得られた方位を確認し、その方位を望ましい方位と比較する、
・実際に得られた方位が望ましい方位に十分近い時、つまり、その差が所定の限界以内であるとき、使用者は、その角度が正しく、注射を行ってもよいことを知らされる、
・スクリーン上の文章又は可聴口頭指令によって、使用者はその装置の大腿部に対する進行が止められるまでその装置を移動させるよう指令される。
・電子回路は、その装置が実際に大腿部に到達したときにその行動を確認するためにセンサからのデータを評価するようにプログラムされている。この目的のために、装置の速度および／又は加速度が測定され、基準値と比較される。１つの例において、その行動は、制限値より大きい負の加速度が測定されたとき、又は制限値より小さい速度が測定されたときに確認される、
・大腿部に到達した装置の行動が確認されると、装置に一体化されたタイマーがスタートし、2〜12秒、3〜10秒、4〜8秒のような、通常1〜20秒の所望の時間を計時するが、その間、装置は比較的静かに保持される必要がある。これは薬剤物質が注入されるのに望ましい時間である。使用者はその経過について、例えばスクリーン上の経過の可視表示により、又は経過の可聴指示により通知されることが可能である。
・タイマーが所望時間を計時する間に、電子回路は装置の方位を連続的に確認し、重力に対する又は大腿部に対する角度が予め設定された望ましい範囲を逸脱しているかどうかを使用者に知らせる。
・タイマーが望ましい時間を計時したときに、使用者は訓練の授業が成功か又は不成功に終了したことを知らされる。通常、成功とは、使用者が、最初に装置を正しい方位に向け、大腿部の方向へ、例えば特定の最小速度で装置を移動させ、最後に、必要とされる時間だけ装置を正しい角度に維持できたことを含む、特別に予め決められて予めプログラムされた経路と装置の動きの順序に従うことができたことを意味する。
【００４２】
運動センサは、装置の中に組込まれるか、又は外部センサであることが可能である。さらに、アイフォン（登録商標）、アイポッド・タッチ（登録商標）や他の装置のような既製の装置がコネクターを有し、それに追加のセンサ、例えば圧力センサが付設されることが可能である。そのような装置は、正しい方位を見出すために、そしてその物理的な行動又は装置が大腿部に押し付けられた時点を見出すために従順性（compliance）の監視を提供することによってこの発明による用途を拡大するために、この発明に関連して使用されることが可能である。
【００４３】
そのスクリーンは、移動電話を含む小型電子装置からよく知られる種類の標準的なスクリーンであることが可能である。対話は、プッシュボタンや類似のセンサ、又は運動検出器などの使用によって成立させることができる。しかしながら、１つの実施形態において、使用者との対話の重要な部分は、好ましくは、少なくとも１：１に近いサイズか、又は実際のサイズの少なくとも１：１と１：４の間でオートインジェクタを表示させるサイズのタッチスクリーンを介して成立する。つまり、オートインジェクタが、例えば16cmの長さを有する場合には、スクリーンが4cmと16cmとの間、例えば6cmと8cmの間の長さを有することが望ましい。
【００４４】
「物理的行動（physical activity）」とは、ここではその装置において使用者によって実行される行動、例えば、スクリーンにタッチする行動、つまりその装置を振ったり移動させたりする行動として定義される。この定義によって、運動センサは物理的行動を定量化することができる。運動センサはどのような数のセンサ又はプロセッサでも備えることができる。
【００４５】
オートインジェクタの可視的表示は、オートインジェクタの使用における特定のステップに積極的に適合可能である。一例として、使用者はオートインジェクタを垂直にするよう要求されることが可能であり、そのスクリーンは、行動がなされるまではオートインジェクタが包装された状態で、その行動が認められるや否や包装が解かれた状態で、オートインジェクタを可視化することができる。同様に、オートインジェクタは引っぱってはずせるキャップを有することができ、スクリーンはキャップ付きの状態およびキャップなしの状態でインジェクタが可視化できる。通常、オートインジェクタはまた、針が引き込まれた状態および針が先端から突出した状態を有する。さらに、その可視的表示はその両方の状態を含むことができる。
【００４６】
それがあたかもオートインジェクタであるかのようにその装置自体を使用者に操作させる要求は、スクリーン上の文書で、又はスピーカを使用することによる口頭で提供されることが可能である。その要求は、音声信号、例えば指令に適正に従うことを表す１つの信号と指令に従わないことを表す１つの信号によって従われることが可能である。
【００４７】
一般的に、運動センサのデータの評価は、その装置の方位が受入れ可能か否かをチェックすること、装置が大腿部に押し付けられている期間が受入れ可能か否かなどをチェックすることを含むことができる。その評価はまた、訓練の授業が或る頻度でくり返されているか否かをチェックすることや、失敗の場合に訓練の授業がくり返されているか否かをチェックすることを含む。
【００４８】
この発明の特定の実施形態において、その装置は、装置の物理的状態、位置又は方位の期間を計測するタイマーを備え、そのタイマーは、例えばセンサの一部を形成する。１つの実施形態では、センサはその装置の水平に対する方位を計測するように構成される。もし、針が筋肉に対して特定の角度で筋肉に入り込むことが望ましいときには、指令は、例えば、使用者が水平又は垂直に対する或る角度で脚を保持しなければならないことを述べることによって、そして、水平又は垂直に対する装置の実際の角度を続いてチェックすることによって、使用者の方位に対するオートインジェクタの方位を説明することができる。
【００４９】
指令がスクリーン上に与えられている間に、センサからのデータの評価を実行することが、とくに望ましい。これによって使用者は、例えば、装置などの正しい角度を見出すことに関して、その行動を適切な行動に合わせる方法をより速やかに学ぶことができる。従って、その装置は指令を与えて、計測等に基づいて指令の次の調整をするための運動センサデータを得るように構成されることが可能である。一例として、その装置は、運動センサが受入れ可能な角度内にあるその装置の角度を登録するまで、その装置がさらに垂直に保持されるべきであるとくり返し述べることができる。
【００５０】
その指令は、予め定義された指令のライブラリから選択されることが可能である。予め定義された指令は、プログラムシーケンスがスクリーン上の可視化および／又は、例えばジェスチャー認識の形での、使用者からの応答を処理するように、完全な指令のシーケンスの可視的表示を含む個々のプログラムシーケンスとして、ライブラリに格納されることが可能である。
【００５１】
予め定義された指令はまた、Wav、AAc、MP3などのような音声データファイルとしてライブラリに格納されることが可能であり、その音声データファイルでは、各音声データファイルが完全な指令におけるシーケンスに対応する口頭の指令は含んでいる。
【００５２】
１つの例として、完全な指令の授業は多数のシーケンスに分割可能であり、各シーケンスは使用者によって実行されるべき物理的行動を説明することができる。その装置は、使用者が指令に従うときはいつでも、予め定義された指令のシーケンスにおける新しい指令にジャンプすることができる。
【００５３】
もし、使用者が指令の１つのシーケンスの指令に従うことができない場合には、新しい、かつ、さらに詳細な指令、例えば質問の誤りに特に関連する指令が与えられることが可能である。使用者がその装置をさらに垂直に保持するよう指令される上記の例を参照。従って、一連のシーケンスにおける各シーケンスは、使用者が証明できる従順性の程度に依存するいくつかの異なる予め定義された指令を有することができる。その指令は、従って、認識されたジェスチャーに依存して、例えば、望ましいジェスチャーと認識されたジェスチャーとの差異に依存して、ライブラリから選択されることが可能である。
【００５４】
その装置はまた、使用者フィードバックを受け入れるように構成可能である。ここで、使用者フィードバックとは、装置へ使用者によって与えられる質問や命令として定義される。
【００５５】
使用者フィードバックは、例えば装置のタッチスクリーンに可視的に形成されたキーボードを介して与えられることが可能である。
【００５６】
使用者フィードバックはまた、口頭で与えることが可能である。つまり使用者は装置に質問したり、装置に口頭で指令することができる。
【００５７】
一例として、使用者は、角度が正しく、キャップが針等から除去されている場合には、期間が短くなるか否かを装置に尋ねることができる。使用者はまた、シミュレートされる装置の使用に、さらに一般的に関連する質問、例えば、「エピネフリンの使用は危険であると考えられるか」とか「アナフィラキシーショックが生じてから治療が施されるまでどれほど時間がかかるか」を尋ねることができる。
【００５８】
その装置は、例えば外部データベース、インターネット等、又は組込みデータベースを用いることによって、質問や命令に関する利用可能なエントリーを調べるエキスパートシステムを含むことができる。質問や命令が口頭で与えられる場合には、装置は、口頭の命令や質問が認識できるように、匹敵する標準の命令や質問を有するデータベースを備えることができる。
【００５９】
１つの実施形態において、その装置と指令は、エピネフリンのオートインジェクタの望ましい使用に特に適合する。この特定の使用は、特定の実施形態と図面を参照して、さらに詳細に説明される。
【００６０】
オートインジェクタの使用の指令とシミュレーションに加えて、その装置は、オートインジェクタの使用に関する他の機能を備えることができる。エピネフリンのオートインジェクタの場合には、その装置はさらに、アナフィラキシーをスクリーン上にグラフを用いて表すように構成されることが可能である。これは、例えば血圧、心拍数、肺呼気の最大流、皮膚の色やアナフィラキシーに対する生理学な他の反応の可視的な表示を含むことができる。例えば、その装置は患者の実際の身体の状態、例えば心拍数を確かめるためのセンサを用いることができるか、又はその装置は心に留めておくべき生理学的反応についての一般的な情報を有する情報シーケンスを含むことができる。一般的な情報は、患者の回りに通常居る人々が求めているものを知っているように、同僚、友人および親族に分ける患者に対して少なからず価値がある。
【００６１】
すでに述べたように、エピネフリンのオートインジェクタは、使用されることのないことが望ましく、ほとんどの患者は実際のオートインジェクタを使用することを経験しないであろう。さらに、エピネフリンのオートインジェクタはオートインジェクタ内の医療物質の劣化により頻繁に、通常２年毎に、取り換えなければならない。従って、新しい特徴を有する実際のオートインジェクタの新しいモデルが導入されるかも知れない。訓練装置をくり返し更新する使用者の能力を改善するために、そして、訓練装置を頻繁に使用する使用者の能力を改善するために、その装置はアイフォン（登録商標）又はアンドロイド（登録商標）のような移動電話の一部を形成することができる。この場合、上述の電子回路およびセンサはそのような電話に一体化された装置の一部を形成し、その機能は当該の移動電話のメモリ内に格納された適当なソフトウェアを用いることによって作動し、それによって、その装置は主張されるジェスチャーを確認することができ、それによって、訓練の目的に役立つ。
【００６２】
実行される訓練と実際のオートインジェクタとの間の正しい整合を保証するために、装置は実際のオートインジェクタから得られる確認のしるし（insignia）を読み取るように、そして、指令とオートインジェクタの可視化を、しるしによって確認されるオートインジェクタに適合するように構成されることが可能である。その確認のしるしは、バーコードや装置によって自動的に読み取られる類似のコードを含むことができる。その確認のしるしはさらに、訓練装置が、実際のオートインジェクタを新品に置換しなければならない時を使用者に警告することができるように、実際のオートインジェクタの寿命に関する情報を含む。
【００６３】
使用者は実際のオートインジェクタを新しいオートインジェクタに交換したとき、確認のしるしはその装置に入力され、その装置は、新しい実際のオートインジェクタが異なる方法で働く場合か、さもなくば処理手順に変化を必要とする場合に、使用者に自動的に警告するように構成されることが可能である。
【００６４】
この発明は、次の特定の実施形態に関する。
【００６５】
使用者が指令に従うレベルについて知らされる方法。
【００６６】
装置を大腿部に押し付けるジェスチャーが電子回路によって認識される方法。
【００６７】
大腿部に装置を押し付けるジェスチャーが、運動センサのデータから装置の特定方向の動きが停止するか否かを評価することによって決定される方法。
【００６８】
手持ち装置はタイマーを備え、そのタイマーは、手持ち装置が大腿部に押し付けられたことを示すジェスチャーを認識したときに始動する。
【００６９】
大腿部への装置の押し付けが、或る時間維持され、その時間がタイマーにより計時される。
【００７０】
使用者がその装置を所定の方位に保持する方法。
【００７１】
その装置を所定の方位に保持するジェスチャーが電子回路によって認識される方法。
【００７２】
手持ち装置を大腿部に押し付ける前に、手持ち装置を所定方向に向けるジェスチャーの認識を確立するように電子回路が作動する方法。
【００７３】
手持ち装置が大腿部に押し付けられたことを示すジェスチャーの認識後に、手持ち装置を所定方向に向けるジェスチャーの認識を確立するように電子回路が作動する方法。
【００７４】
タイマーの始動前に、手持ち装置を所定方向に向けるジェスチャーの認識を確立するように電子回路が作動する方法。
【００７５】
その装置を所定方位に保持するジェスチャーの認識がタイマーの作動中、継続される方法。
【００７６】
指令に従うレベルを決定するステップが、運動センサのデータを、装置の望ましい操作を表し、かつ、装置に予め格納されている目標基準データと比較することにより実行される方法。
【００７７】
指令に従うレベルを決定するステップがさらに、運動センサのデータが目標基準データに一致するか否かを使用者に知らせるステップを含む方法。
【００７８】
手持ち装置は、２つの実質的に平行な主要面と２つの実質的に平行な側部と実質的に平行な下端および上端部とを有する細長い平坦な箱の形を実質的に有し、使用者は、少なくとも側部に手を押し付けて装置をつかみ、下端部が大腿部に押し付けられるまで、装置を実質的に移動させる方法。
【００７９】
指令に対応する少なくとも１つの所定のジェスチャーを表す予め格納されたデータを有するメモリー手段を備えた装置であって、その装置は使用者が装置を移動させる間に装置の動きを表すデータを運動センサによってサンプリングするように構成され、サンプリングされたデータは装置の少なくとも角度を備え、その装置はサンプリングされたデータと予め格納されたデータとの差を決定して使用者にその差を表す出力を提供する。
【００８０】
運動センサが、異なる３方向の加速度を提供することが可能な３軸加速度センサを備える装置。
【００８１】
使用者が大腿部に装置を押し付けたことを示すジェスチャーを認識した時に始動するようにセットされたタイマーを備える装置。
【００８２】
その装置を所定の方位に保持するジェスチャーを確認するように構成された装置。
【００８３】
所定の指令のライブラリを備える装置であって、その装置は指令の順番によって所定の指令を選択するように構成される。
【００８４】
その装置が指令を可聴的に表すように構成された装置。
【００８５】
指令が、認識されたジェスチャーによって、ライブラリから選択される装置。
【００８６】
指令がエピネフリンのオートインジェクタの望ましい使用のためである装置。
【００８７】
実際のオートインジェクタ上で得られる識別のしるしを読み取り、そのしるしによって識別されたオートインジェクタの指令と視覚表示を提供するように構成された装置。
【００８８】
識別のしるしが実際のオートインジェクタの寿命に関する情報を備える装置であって、その装置は、実際のオートインジェクタが新品と交換されるべき時を使用者に警告するように構成される。
【図面の簡単な説明】
【００８９】
この発明は次図を引用する実施例によって説明される。
【図１】図１はこの発明の装置を示す。
【図２】図２は、スクリーン上に使用のための可視指令の異なる部分を有する装置を示す。
【図３】図３は、スクリーン上に使用のための可視指令の異なる部分を有する装置を示す。
【図４】図４は、スクリーン上に使用のための可視指令の異なる部分を有する装置を示す。
【図５】図５は、スクリーン上に使用のための可視指令の異なる部分を有する装置を示す。
【図６】図６は、スクリーン上に使用のための可視指令の異なる部分を有する装置を示す。
【図７】図７は、この発明による装置の他のスクリーンを示す。
【図８】図８は、この発明による装置の他のスクリーンを示す。
【００９０】
実施形態の詳細な説明
この発明のさらなる適用範囲は、次の詳細な説明と特定の実例から明らかになるであろう。しかしながら、理解されるべきことは、詳細な説明と特定の実例は、この発明の好ましい実施形態を示すが、例証のみによって与えられるということである。それはこの発明の範囲内での様々な変更や変形が、この詳細な説明から当業者に明らかになるからである。
【００９１】
図１はオートインジェクタを操作することに関して使用者を訓練するための手持ち装置（handheld device）を示す。示されたその装置は、エピネフリン・オートインジェクタの使用について訓練するためのものであり、それはスクリーン２と、３つのセンサとを備え、そのセンサの１つはその装置の物理的な働き、つまり加速度を定量化することができる運動センサである。
【００９２】
第１センサは加速度を測定し、適切なデータ処理によってその装置の動作を決定することができる。その加速度センサの代わりとして又はそれに加えて、第１センサはジャイロコンパスを備えることができる。第２センサはスクリーン上のタッチを特定することができ（タッチ・スクリーン・センサ）、第３センサは行動の期間や、他のセンサに対して行動していない期間を計時することができる時計（clock）である。
【００９３】
図１〜６のいずれか１つに示されるように、スクリーンはオートインジェクタ３の可視的な画像を提供する。さらに、その装置は、使用者に対して、オートインジェクタをどのように使用して操作するかについての指令を与える。これらの指令は、その装置がオートインジェクタであることをシミュレートするためにその装置自体を操作するように使用者に要求することを含む。これらの指令はスクリーン上に目で見えるように与えられるか、又はそれらはスピーカを介して耳で聞こえるように与えられることが可能である。
【００９４】
スピーカを介して口述の指令を与えるために、その装置は、例えば、wav、MP3、AACのような標準のフォーマットで、一組の音声データファイルを含むデータベースを備えることができる。そのデータファイルは言語が異なることができる。その手持ち装置は各口述の指令が指令の正しい順序で与えられるようにデータファイルの実行を制御する。一例として、１つの指令ファイルは、使用者にその大腿部に手持ち装置を押し付けるように指示することができ、もし、その動作が「正しい」注射動作としてその装置に認識されないとき、つまり、もし、ジェスチャー認識が正しいジェスチャーを認識しない場合には、認識されたデータに対して他のデータファイルが口述指令を与えることができる。もし、角度が急勾配すぎる場合には、口述指令によって手持ち装置等の角度を減じさせることができる。従って、口述指令は、指令を形成する一連の順序における順序に基づいて口述指令のライブラリから選択されるか、または所望のジェスチャーと認識されたジェスチャーとの差又は認識されたジェスチャーに基づいて口述指令のライブラリから選択されることが可能である。
【００９５】
その装置における電子回路は、センサからのデータを評価し、指令を守るレベルを提供する。
【００９６】
指令授業（instruction session）の第１ステップを示す図１において、使用者は表示されたオートインジェクタ３の右側において、安全キャップ４を除去することを要求される。その指令はスクリーン２上の指令領域５に書き込まれた状態で提供され、使用者は、実行する指令のステップをステップ指示部６において知らされる。
【００９７】
スクリーンはタッチに感応可能であり、その装置は、使用者がスクリーンにタッチしてスクリーン上に指を滑らせることにより安全キャップを垂直に除去したときを登録する。その装置は可聴信号を用いることにより、かつ、ステップ指示部（図２参照）においてタッグ（tag）７により第１ステップの完了をマークすることにより、その行為を認める。
【００９８】
図２は、第１段階に従って初期化される第２ステップを示す。第２ステップにおいて、使用者はその装置があたかもオートインジェクタそれ自体であるかのように、その装置を大腿部に対して押し付けるよう要求される。加速度センサ、又は装置の動きおよび／又は方位を測定可能な類似のセンサにより、その装置の角度が測定される。この特定の用途においては、そのオートインジェクタはエピネフリン用であり、筋肉へ侵入する間の針の角度は通常、垂直から0度と90度の間、好ましくは垂直から10度と80度との間、さらに好ましくは垂直から20度と70度との間、さらに好ましくは垂直から30度と60度との間、さらに好ましくは、垂直から37度と52度との間のような、垂直から39度と49度との間のような、垂直から約45度のような、垂直から35度と55度との間であるべきである。さらに、そのスクリーンは、例えば、大腿部に対する所望の角度に関して、追加の案内（guidance）を提供する。
【００９９】
図３は、その装置が垂直から所望の0〜90度の範囲外の角度で保持されたときに生じる警報を示している。その警報はまた音響信号も含んでいる。
【０１００】
図４は角度が正しいことが承認されたときのその装置を表し、その承認は、音響信号およびステップ表示部６のタグ８を含む。
【０１０１】
使用者がその装置を大腿部の方へ押し付ける時、加速度センサはその減速を測定することができ、それによって垂直方向の針が現在筋肉の中にあることを登録する。図５はペンがスクリーンの左側へ押されてその装置がこのステップをすでに登録して、今や針が注入を行っていると思われるということを示すことを表している。その承認もまた、解放されるスプリングの音によって従われる。これは、針のスプリングを筋肉の中へ進める実際のオートインジェクタにおけるスプリングの音をシミュレートしている。タイマーが10秒の計時を開始する。図５では、２秒が計時されている。10秒の計時が終了すると、その装置は図６に示すスクリーンにシフトすることによって正しい処置であることを承認する。
【０１０２】
図１−６に示される装置は、アイフォン（登録商標）電話機である。移動電話は通常、手近に準備されており、高級な移動電話は、上述の種類の組込みセンサを備える。従って、使用者は、適当な時にいつでも、追加の分離した訓練装置を携帯することなくオートインジェクタの正しい使用法を訓練することができる。
【０１０３】
次に、その装置の特徴をさらに詳細に説明する。キャップがタッチスクリーンを横切る指の動作により除去されると、タイマーが３秒を計時し、この期間において、その装置は垂直方向に対する、つまり重力を用いて決定される下向き方向に対する装置の角度を評価する。アイフォン（登録商標）および類似の装置において、その角度は通常±10度の誤差を免れない。
【０１０４】
もし、３秒後に、角度が正しくないとき、使用者は修正することを通知されて要求される。
【０１０５】
もし、角度が正しい場合には、その装置が大腿部に対して押し付けられた時に確認するジェスチャー認識をその装置は用いるであろう。１つの特例において、その装置は、３つの異なる方向、一般的にはデカルト座標系の、つまり各方向間に90度の角度を有するX-Y-Z方向の加速度を測定する３つの加速度センサを備える。アイフォン（登録商標）、アイパッド（登録商標）および類似の装置は、通常、そのような加速度センサを備える。そのような装置用のプログラムの開発において、プログラマーは、それぞれが異なる方向の加速度を表す３つのベクトル、つまり、大きさがベクトル長さで与えられる加速度の方向と大きさを与えられる。
【０１０６】
その装置が大腿部に対して押し付けられた時を特定するために、ジェスチャー認識は２つの異なるステップの少なくとも１つを備えることができる。
１．装置を動かすことなしに大腿部に対して正しい角度で使用者が装置を保持するステップ、および
２．大腿部に先端を押し付けることによってオートインジェクタの先端から針を解放するステップをシミュレートするために大腿部に対して使用者が装置を移動させるステップ。
【０１０７】
その組の指令において、使用者はジェスチャー１とジェスチャー２の両方を実行することを要求される。同時にその装置は、装置の加速度センサ、ジャイロコンパス又は類似のセンサから受入れたデータの十分なデータ処理によって、対応するジェスチャーを検索する。
【０１０８】
特に、その装置は、３つの加速度ベクトルから導関数ベクトル（derivative vector）を算出することができる。
【０１０９】
ジェスチャーステップ１は、導関数ベクトルの長さをある制限値と比較して、加速度がこの制限値より低くなったときをいつでも確認することによって確認可能である。加速度がこの制限値よりも低くなったことが確認されると、その装置はタイマーをスタートさせて加速度が所定長さの期間だけ制限値を下回ったときを確認する。例えば、加速度が１秒間より多く２秒間以上制限値を下回った時には、その装置はジェスチャー１が確認されたと考えることができる。
【０１１０】
大腿部に対するその装置の動きが、最初に加速的な増加と、続いて、その装置が大腿部に対する圧力によって停止するときに加速的な減少を示唆するので、ジェスチャーステップ２は、ベクトルの長さの変化と、デルタベクトルの長さの制限値とを比較することによって、つまり、加速度の変化が所定値を上回るか又は下回るかを見出すことによって確認可能である。ジェスチャーステップ２を見出すことを改善するために、その装置は、加速度がスクリーンに表示されるオートインジェクタの底から先端に向かう方向に対応する方向にあるとき、つまり、その加速度が皮膚を針が貫通する方向にあるときのみ、加速度にそのような変化があるとみなすことができる。その角度は、通常、重力の角度に対して算出される。
【０１１１】
ジェスチャーステップ１と２の各々は、独立して見出されることが可能である。しかしながら、そのジェスチャーの認識の精度を改善するために、その装置は、ジェスチャー１と２を認識し、かつ、ジェスチャーステップ２がジェスチャーステップ１の認識のすぐ後に認識される場合にのみ針が大腿部に注入を行ったと判定することができる。
【０１１２】
この時点において、その装置は、エピネフリンを筋肉に注入することができる10秒の間、その装置が動くことなく保持されることを証明するタイマーをスタートさせる。その装置が少なくとも本質的に動かないことを証明するために、その装置は加速度のセンサのいずれからの信号を用いることができるか、又は導関数ベクトルの長さを制限値と比較することができる。その制限値を越えた場合、その装置は使用者にその装置を大腿部に対してもっと長時間保持してエピネフリンを体内に入れるように通知することができる。
【０１１３】
図７は訓練の授業（session）が満足に完了したときに行われる使用者との対話を示している。このスクリーンでは、使用者は112に電話して、開業医および救命チームに一般的に知られている用語である「アナフィラキシー」と言うように仕向けられる。
【０１１４】
図８は、その装置が１つのアイフォン（登録商標）と一体化できることを示している。この場合「JEXT」と呼ばれるアプリケーションコードによってアイフォンがこの発明による装置として働く。
【０１１５】
この発明は、次の特定の実施形態を含むことができる。
【０１１６】
オートインジェクタの操作において使用者を訓練するための手持ちコンピュータ装置であって、その装置はスクリーンと、その装置の物理的行動を定量化できるセンサとを備え、その装置はスクリーン上で、オートインジェクタを可視的に描写し、その装置はさらにオートインジェクタを所望通りに使用するための指令を提供し、その指令は、その装置があたかもオートインジェクタであるようにその装置自体を操作するための使用者向けの要求を有し、その装置はさらに、センサからのデータを評価するようになっており、指令に従うレベルを提供する。
【０１１７】
センサがその装置の運動検出器機構を備える装置。
【０１１８】
運動検出器が、異なる３方向の加速度を提供できる３軸加速度センサと、そのセンサからのデータを処理して装置上で実行される特定の物理的行動を確認することができる電子回路とを備える装置。
【０１１９】
センサがその装置の、物理的状態、位置又は方位の期間を決定するタイマーを備える装置。
【０１２０】
センサからのデータに基づくジェスチャー認識を備える装置。
【０１２１】
指令が、オートインジェクタの水平に対する方位に関する装置。
【０１２２】
指令が、使用者の方位に対するオートインジェクタの方位に関する装置。
【０１２３】
オートインジェクタの使用に関連する音声を表す可聴信号を伝達するための音声出力を備える装置。
【０１２４】
使用者がオートインジェクタの可視的な描写上で処理の制御を操作することができるように、スクリーンに一体化された使用者入力手段を備える装置。
【０１２５】
指令がスクリーン上で与えられる間に、センサからのデータの評価を実行するように構成された装置。
【０１２６】
指令がエピネフリンのオートインジェクタの所望の使用のためである装置。
【０１２７】
スクリーンがタッチスクリーンであり、装置が描写されたオートインジェクタ上で実行される操作をシミュレートするために可視的描写上の指の動きを検出するように構成された装置。
【０１２８】
アナフィラキシーへの生理学的な応答をスクリーン上に文字で視覚化するようにさらに構成された装置。
【０１２９】
その装置が移動電話の一部を形成する装置。
【０１３０】
実際のオートインジェクタ上で得られる識別用のしるしを読み取り、そのしるしによって識別されるオートインジェクタの指令と可視的描写を提供するように構成された装置。
【０１３１】
識別用のしるしが実際のオートインジェクタの寿命に関する情報を含み、実際のオートインジェクタを新品に交換しなければならないときに使用者に警告するように構成された装置。
【０１３２】
そして、この発明は、手持ちコンピュータ装置によって読取り可能で、装置のスクリーンにオートインジェクタを使用するための指令を提供するために一組の指令を含むコンピュータプログラムを提供することができ、その指令はオートインジェクタをスクリーン上に可視的に描写することと、その装置があたかもオートインジェクタであるかのようにその装置を操作することを使用者に要求することを含み、そのプログラムは、その装置の物理的な行動を示すセンサのデータを評価するステップと、指令に従うレベルを提供するステップとをその装置が実行する指令をさらに含む。
【０１３３】
そして、この発明は、エピネフリンのオートインジェクタの使用を訓練する方法を提供することができ、その方法はオートインジェクタを使用するための手持ち装置のスクリーンに指令を提供するステップを備え、その指令はスクリーン上にオートインジェクタを可視的に描写することと、その装置があたかもオートインジェクタであるかのように使用者にその装置を操作するように要求することとを含み、その方法はその装置の物理的な行動を示すセンサのデータを評価するステップと指令に従うレベルを提供するステップとをさらに含む。
【図１】
2014521113.tif 000003
【図２】
2014521113.tif 000004
【図３】
2014521113.tif 000005
【図４】
2014521113.tif 000006
【図５】
2014521113.tif 000007
【図６】
2014521113.tif 000008
【図７】
2014521113.tif 000009
【図８】
2014521113.tif 000010
【国際調査報告】
2014521113.tif 000011
2014521113.tif 000012